(57)【要約】【課題】本発明は、例えば、コンクリートブロックによる閉鎖空間内に設置されているパワーコンディショナー等において、吸気口の上方に位置している排気口から下方に向けて排気される暖気の流れる方向を変える(斜め上方に案内する)ことにより、排気された暖気が吸気口から再度吸気されてしまう事態の発生を確実に防止した、排気口カバーを提供することを目的とする。【解決手段】本発明に係る排気口カバーは、駆体に設けられている外気を吸気する吸気口の上方に位置し、駆体の内部を通過して温まった暖気を下方に排気する横長の排気口の下部に取り付けられる排気口カバーであって、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することを特徴とする。【選択図】図１
2018064095.tif 000002
【特許請求の範囲】
【請求項１】
駆体に設けられている外気を吸気する吸気口の上方に位置し、駆体の内部を通過して温まった暖気を下方に排気する横長の排気口の下部に取り付けられる排気口カバーであって、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することを特徴とする排気口カバー。
【請求項２】
コンクリートブロックによる閉鎖空間内に設置されているパワーコンディショナーの駆体に設けられている外気を吸気する吸気口の上方に位置し、駆体の内部を通過して温まった暖気を下方に排気する横長の排気口の下部に取り付けられる排気口カバーであって、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することを特徴とする排気口カバー。
【請求項３】
延出部は、側面視で排気口より突出する幅を備えている請求項１または２に記載の排気口カバー。
【請求項４】
取付部は、取付部と駆体の間に雨水を通過させる隙間を形成するためのスペーサーを備えている請求項１または２に記載の排気口カバー。
【請求項５】
取付部は、左右に複数の孔を有し、駆体に取り付けられている既存の留め具を介して取り付けられている請求項１または２、請求項４のいずれかに記載の排気口カバー。
【請求項６】
取付部は、上下に複数の孔を有し、駆体に取り付けられている既存の留め具を介して取り付けられている請求項１または２、請求項４のいずれかに記載の排気口カバー。
【請求項７】
延出部は、側面視で弧状に湾曲している請求項１乃至３のいずれかに記載の排気口カバー。
【請求項８】
延出部は、正面視で傾斜しており、雨水が流れるように構成されている請求項１乃至３、請求項７のいずれかに記載の排気口カバー。
【請求項９】
取付部の孔は、挿入孔部と、挿入孔部に連通するスライド固定用長孔部により形成されており、取付部の孔を駆体の留め具に宛がい、スライドさせて係止する請求項５または６に記載の排気口カバー。
【請求項１０】
スペーサーは、取付部の表面からの絞り加工により、取付部の裏面に設けた凸部により形成されている請求項４に記載の排気口カバー。
【請求項１１】
排気口の下側の駆体表面から延出部の先端部に向けて、横長板状で、延出部に沿うように側面視で弧状に湾曲している排気導出用板が配置されている請求項１乃至３、請求項８のいずれかに記載の排気口カバー。
【請求項１２】
排気導出用板は、その基端側が駆体表面に沿うように当接し、先端側が延出部の上面にリベットを介して固定されている請求項１１に記載の排気口カバー。
【請求項１３】
排気導出用板の基端側には、略ダルマ形状の係止孔が設けられており、延出部のリベットに係止孔を宛がい、スライドさせて係止する請求項１１または１２に記載の排気口カバー。
【発明の詳細な説明】
【技術分野】
【０００１】
本発明は、パワーコンディショナー等の排気口カバーに関するものである。
【背景技術】
【０００２】
直流の電気を交流に変換し、家庭用の電気機器等で利用できるようにするための機械として、図２６に示すようなパワーコンディショナーが存在している。このパワーコンディショナーの排気口７は、駆体３の下方に設けられている吸気口５の上方に設けられており、パワーコンディショナーの駆体３の内部を通過して温まった暖気が、排気口７から下方に向けて排気されている。
【０００３】
また、特許文献１は、電光源等の電子機器の一部又は全部を格納する防御用の収納ボックスにおいて、電子機器を収納する内ケースの吸気口上方に排気口が設けられており、排気口から下方に向けて暖気が排気され、内ケースの外周の一部又は全部に空気層を生じるように外ケースで内ケースを覆い雨水の侵入を防止するとともに、外ケースの一部又は全部の貫通孔を有する板材で形成し、内ケースに通風口を穿設した収納ボックスを開示している。
【先行技術文献】
【特許文献】
【０００４】
【特許文献１】特開平１１−２３８９７４号公報
【発明の概要】
【発明が解決しようとする課題】
【０００５】
しかしながら、パワーコンディショナーが、図２６に示すように、コンクリートブロックＫによる閉鎖空間内に設置されている場合、排気口７から排気された暖気が下方に流れるため、この暖気が吸気口５から再度吸気されることがあり、このような連続した暖気の吸排稼動によって、コンクリートブロックＫによる閉鎖空間内に暖気が徐々に溜まってしまい、パワーコンディショナーの冷却効率が著しく低下してしまうという問題があった。
【０００６】
また、連続した暖気の吸排稼動によって、パワーコンディショナー自体の温度が上昇し、パワーコンディショナーの稼動が停止してしまう事態も生じていた。
【０００７】
そのため、パワーコンディショナーの点検を頻繁に行なう必要があり、その点検やメンテナンスに、多大な人員と費用を費やしていた。
【０００８】
この他、特許文献１に示す収納ボックスにおいても、電子機器を収納する内ケースを外ケースで覆っている状態において、排気口から下方に向けて排気された暖気が、吸気口から再度吸気されることがあり、電子機器を充分に冷却できない事態が生じていた。
【０００９】
そこで、本発明は、例えば、コンクリートブロックによる閉鎖空間内に設置されているパワーコンディショナー等において、吸気口の上方に位置している排気口から、下方に向けて排気される暖気の流れる方向を変える(斜め上方に案内する)ことにより、排気された暖気が吸気口から再度吸気されてしまう事態の発生を確実に防止した、排気口カバーを提供することを目的とする。
【課題を解決するための手段】
【００１０】
上記課題を解決するために、請求項１に記載の排気口カバーに係る発明は、駆体に設けられている外気を吸気する吸気口の上方に位置し、駆体の内部を通過して温まった暖気を下方に排気する横長の排気口の下部に取り付けられる排気口カバーであって、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することを特徴とする。
【００１１】
請求項１に記載の排気口カバーに係る発明によれば、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することにより、排気された暖気が吸気口から再度吸気されてしまう事態の発生を確実に防止することができる。
【００１２】
請求項２に記載の排気口カバーに係る発明は、コンクリートブロックによる閉鎖空間内に設置されているパワーコンディショナーの駆体に設けられている外気を吸気する吸気口の上方に位置し、駆体の内部を通過して温まった暖気を下方に排気する横長の排気口の下部に取り付けられる排気口カバーであって、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することを特徴とする。
【００１３】
請求項２に記載の排気口カバーに係る発明によれば、駆体の排気口に沿うように取り付けられる横長板状の取付部と、この取付部の上端に、駆体から離れるように斜め上方に延出する横長板状の延出部を備え、この延出部は、排気口から排気された暖気を斜め上方に案内することにより、排気された暖気が吸気口から再度吸気されてしまう事態の発生を確実に防止して、パワーコンディショナーの冷却効率の低下を未然に防止することができる。
【００１４】
また、コンクリートブロック等による閉鎖空間内に設置されているパワーコンディショナーの駆体の上方に位置している排気口から下方に向けて排気された暖気が、閉鎖空間内に溜まるような事態の発生も防止できる。
【００１５】
その結果、コンクリートブロック等による閉鎖空間内に設置されているパワーコンディショナーにおいても、常に冷却状態にある外気を吸気口から吸気することが可能となり、パワーコンディショナーの冷却効果を維持することができる。
【００１６】
また、パワーコンディショナーの連続した暖気の吸排稼動を原因として、パワーコンディショナー自体の温度が上昇してしまう事態の発生も防止できる。そのため、パワーコンディショナーの稼動が停止することもない。
【００１７】
その結果、パワーコンディショナーのメンテナンス作業に要する人員・費用も、大幅に削減することが可能となる。
【００１８】
請求項３に記載の排気口カバーに係る発明は、延出部は、側面視で排気口より突出する幅を備えていることを特徴とする。
【００１９】
請求項３に記載の排気口カバーに係る発明によれば、延出部は、側面視で排気口より突出する幅を備えているので、排気口から排気された暖気を斜め上方に確実に案内することができる。
【００２０】
請求項４に記載の排気口カバーに係る発明は、取付部は、取付部と駆体の間に雨水を通過させる隙間を形成するためのスペーサーを備えていることを特徴とする。
【００２１】
請求項４に記載の排気口カバーに係る発明によれば、取付部は、取付部と駆体の間に雨水を通過させる隙間を形成するためのスペーサーを備えているので、排気口カバーにある雨水を取付部と駆体の間を雨水を通過させ、周囲に飛散することを防止することができる。
【００２２】
請求項５に記載の排気口カバーに係る発明は、取付部は左右に複数の孔を有し、駆体に取り付けられている既存の留め具で取り付けられていることを特徴とする。
【００２３】
請求項５に記載の排気口カバーに係る発明によれば、取付部は左右に複数の孔を有し、駆体に取り付けられている既存の留め具で取り付けられているので、左右で排気口カバーを安定して取り付けることができ、また、既存の留め具で容易に取り付けることができる。
【００２４】
請求項６に記載の排気口カバーに係る発明は、取付部は上下に複数の孔を有し、駆体に取り付けられている既存の留め具を介して取り付けられていることを特徴とする。
【００２５】
請求項６に記載の排気口カバーに係る発明によれば、取付部は上下に複数の孔を有し、駆体に取り付けられている既存の留め具を介して取り付けられているので、既存の留め具の位置に応じて排気口カバーを適切な位置に取り付けることができ、また、既存の留め具で容易に取り付けることができる。
【００２６】
請求項７に記載の排気口カバーに係る発明は、延出部は、側面視で弧状に湾曲していることを特徴とする。
【００２７】
請求項７に記載の排気口カバーに係る発明によれば、延出部は、側面視で弧状に湾曲しているので、排気口から排気された暖気を弧状の延出部分に沿ってスムーズに斜め上方に案内することができる。
【００２８】
請求項８に記載の排気口カバーに係る発明は、延出部は、正面視で傾斜しており、雨水が流れるように構成されていることを特徴とする。
【００２９】
請求項８に記載の排気口カバーに係る発明によれば、延出部は、正面視で傾斜しており、雨水が流れるように構成されているので、雨天時に、雨水を延出部の傾斜面に沿ってスムーズに流すことができる。
【００３０】
請求項９に記載の排気口カバーに係る発明は、取付部の孔は、挿入孔部と、挿入孔部に連通するスライド固定用長孔部により形成されており、取付部の孔を駆体の留め具に宛がい、スライドさせて係止することを特徴とする。
【００３１】
請求項９に記載の排気口カバーに係る発明によれば、駆体の留め具は、取付部の孔にスライドさせて係止されることから、留め具を取り外さなくても、駆体に対する取付部の脱着が容易となり、取付部の清掃、補修、交換等のメンテナンスが容易となる。
【００３２】
請求項１０に記載の排気口カバーに係る発明は、スペーサーは、取付部の表面からの絞り加工により、取付部の裏面に設けた凸部によって形成されていることを特徴とする。
【００３３】
請求項１０に記載の排気口カバーに係る発明によれば、スペーサーは、絞り加工による凸部によって形成されるため、取付部の裏面に別部材としてのスペーサーを配置したり、貼り着けるという面倒な作業を排除できる。
【００３４】
請求項１１に記載の排気口カバーに係る発明は、排気口の下側の駆体表面から延出部の先端部に向けて、横長板状で、延出部に沿うように側面視で弧状に湾曲している排気導出用板が配置されていることを特徴とする。
【００３５】
請求項１１に記載の排気口カバーに係る発明によれば、横長板状で、延出部に沿うように側面視で弧状に湾曲している排気導出用板により、排気口から排気された暖気を、弧状に湾曲している排気導出用板に沿ってスムーズに斜め上方に案内することができる。
【００３６】
請求項１２に記載の排気口カバーに係る発明は、排気導出用板は、その基端側が駆体表面に沿うように当接し、先端側が延出部の上面にリベットを介して固定されていることを特徴とする。
【００３７】
請求項１２に記載の排気口カバーに係る発明によれば、排気導出用板は、その基端側が駆体表面に沿うように当接していることから、排気口から排気された暖気を、排気導出用板の基端側においてスムーズに受け止めて、そのまま斜め上方に案内することができる。また、排気導出用板の先端側がリベットで延出部の上面に固定されるため、排気導出用板の基端側を駆体表面に安定した状態で固定することができる。
【００３８】
請求項１３に記載の排気口カバーに係る発明は、排気導出用板の基端側には、略ダルマ形状の係止孔が設けられており、前記延出部のリベットに係止孔を宛がい、スライドさせて係止することを特徴とする。
【００３９】
請求項１３に記載の排気口カバーに係る発明によれば、延出部のリベットは、排気導出用板の係止孔にスライドさせて係止されることから、リベットを取り外さなくても、延出部に対する排気導出用板の脱着が容易となり、排気導出用板の清掃、補修、交換等のメンテナンスが容易となる。
【発明の効果】
【００４０】
本発明に係る排気口カバーよれば、例えば、コンクリートブロックによる閉鎖空間内に設置されているパワーコンディショナー等において、吸気口の上方に位置している排気口から、下方に向けて排気される暖気の流れる方向を変える(斜め上方に案内する)ことにより、排気された暖気が吸気口から再度吸気されてしまう事態の発生を確実に防止することができる。
【図面の簡単な説明】
【００４１】
【図１】第１の実施例における本発明に係る排気口カバーの取り付け例を示す正面斜視図である。
【図２】第１の実施例における本発明に係る排気口カバーの一例を示す図であり、（ａ）は排気口カバーの正面図であり、（ｂ）は排気口カバーの側面図である。
【図３】本発明に係る排気口カバーの他の一例を示す斜視図である。
【図４】本発明に係る排気口カバーの一例を示す斜視図である。
【図５】本発明に係る図４に示す排気口カバーをパワーコンディショナー等の駆体に取り付けた際の側面図である。
【図６】第２の実施例における本発明に係る排気口カバーの一例を示す図であり、（ａ）は排気口カバーの正面図であり、（ｂ）は排気口カバーの側面図である。
【図７】第２の実施例における本発明に係る排気口カバーの一例を示す斜視図である。
【図８】本発明に係る図７に示す排気口カバーの取り付け例を示す正面斜視図である。
【図９】本発明に係る図７に示す排気口カバーをパワーコンディショナーの駆体に取り付けた際の側面図である。
【図１０】第３の実施例における本発明に係る排気口カバーの一例を示す図であり、（ａ）は排気口カバーの正面図であり、（ｂ）は排気口カバーの側面図である。
【図１１】第３の実施例における本発明に係る排気口カバーの一例を示す斜視図である。
【図１２】本発明に係る図１１に示す排気口カバーの取り付け例を示す正面斜視図である。
【図１３】本発明に係る図１１に示す排気口カバーの取り付け例を示す正面斜視図である。
【図１４】本発明に係る図１１に示す排気口カバーをパワーコンディショナーの駆体に取り付けた際の側面図である。
【図１５】第４の実施例における本発明に係る排気口カバーの一例を示す斜視図である。
【図１６】第４の実施例における本発明に係る排気口カバーの一例を示す図であり、（ａ）は排気口カバーの正面図であり、（ｂ）は排気口カバーの側面図である。
【図１７】第４の実施例における本発明に係る排気口カバーの取り付け例を示す正面斜視図である。
【図１８】第５の実施例における本発明に係る排気口カバーへの排気導出用板の取り付け例を示す正面斜視図である。
【図１９】本発明に係る図１８に示す排気導出用板付きの排気口カバーをパワーコンディショナーの駆体に取り付けた際の側面図である。
【図２０】第５の実施例における本発明に係る排気口カバーを示す図であり、（ａ）は排気導出用板を曲げた状態の背面斜視図であり、（ｂ）は排気導出用板を曲げた状態の正面斜視図である。
【図２１】第５の実施例における本発明に係る排気口カバーを示す図であり、（ａ）は排気導出用板を曲げない状態で取り付けた背面斜視図であり、（ｂ）は排気導出用板を曲げない態で取り付けた正面斜視図である。
【図２２】第６の実施例における本発明に係る排気口カバーの延出部に排気導出用板を取り付けた状態の背面斜視図である。
【図２３】第６の実施例における本発明に係る排気口カバーの延出部への排気導出用板の取り付け例を示す図であり、（ａ）は延出部に排気導出用板を宛がう状態の斜視図であり、（ｂ）は排気導出用板の係止孔に延出部のリベットが挿入された状態の斜視図であり、（ｃ）は排気導出用板をスライドさせて延出部のリベットを係止孔のスライド固定用孔部に係止させた状態の斜視図である。
【図２４】第６の実施例における本発明に係る排気口カバーと排気導出用板を示す図であり、（ａ）は排気口カバーの正面図であり、（ｂ）は排気導出用板の平面図である。
【図２５】コンクリートブロックによる閉鎖空間内に設置されているパワーコンディショナーに、本発明に係る排気口カバーを取り付けた使用例を示す斜視図である。
【図２６】コンクリートブロックによる閉鎖空間内に設置されているパワーコンディショナーの斜視図である。
【発明を実施するための形態】
【００４２】
＜第１の実施例＞
図１乃至図５は、本発明に係る排気口カバーの第１の実施例を示している。
【００４３】
本発明に係る排気口カバー１は、図１に示すように、パワーコンディショナー（直流の電気を交流に変換し、家庭用の電気機器などで利用できるようにするための機械）等の駆体３に設けられている外気を吸気する吸気口５の上方に位置し、駆体３の内部を通過して温まった暖気を下方に排気する横長の排気口７の下部に取り付けられるものである。
【００４４】
このパワーコンディショナーは、図２５に示すように、例えば、コンクリートブロックＫによる閉鎖空間内に設置されているものである。
【００４５】
本発明に係る排気口カバー１は、図１・図５に示すように、パワーコンディショナー等の駆体３が備えている横長の排気口７の下部において、駆体３の排気口７に沿うように取り付けられている。
【００４６】
この排気口カバー１は、図１乃至図３に示すように、横長板状の取付部９と、この取付部９の上端に、駆体３から離れるように斜め上方に延出する横長板状の延出部１１とを備えている。また、取付部９と延出部１１は、横長の排気口７と同一の長さを有している。
【００４７】
この延出部１１は、図５に示すように、側面視で排気口７より突出する幅を有しており、横長の排気口７から下方に向けて排気された暖気を、斜め上方に案内するものである。
【００４８】
取付部９は、取付部９と駆体３の間を雨水を通過させる隙間を形成するためのスペーサー１３を備え、駆体３に取り付けられている既存の留め具１７を介して取り付けられるよう、上下左右には横長の複数の孔１５を有している。このスペーサー１３は、矩形の板状に形成されている。
【００４９】
尚、スペーサー１３は、取付部９の表面からの絞り加工により、取付部１３の裏面に設けた凸部１３Ａ（後述する図１５、図１６、図１７、図１９、図２４参照）により形成されていても良い。
【００５０】
図１に示す例では、上部の排気口７の下に取り付けられている排気口カバー１は、例えば、ボルト等の既存の留め具１７が取付部９の上側にある孔１５を利用して駆体３に取り付けられている。また、下部の排気口７の下に取り付けられている排気口カバー１は、既存の留め具１７が取付部９の下側にある孔１５を利用して駆体３に取り付けられている。
【００５１】
取付部９は、図１・図４に示す例では、上下左右に複数の孔１５が設けられているが、これに限らず、図２・図３に示すように、左右にのみ孔１５を設けた取付部９ａとしても良い。
【００５２】
図１・図４に示す排気口カバー１は、図２・図３に示す排気口カバー１ａよりも、留め具１７の位置に応じて、上下に配置された孔１５を選択することにより排気口カバー１を適切な位置に取り付けることができるという利点がある。
【００５３】
また、図２（ａ）（ｂ）・図４に示すように、取付部９の裏面には、複数のスペーサー１３が、横方向に離間して設けられ、排気口カバー１を駆体３に取り付けた際に、スペーサー１３間において雨水が流れるように構成されている。スペーサー１３は、取付部１３と駆体３との間に所定の隙間を設けるものであり、雨水を通すが、排気を通しにくい程度の隙間を作る厚みであることが好ましい。
【００５４】
延出部１１は、図５に示すように、排気口７から下方に向けて排気された暖気を、斜め上方に案内するものである。
【００５５】
その結果、例えば、図２５に示すように、パワーコンディショナーがコンクリートブロックＫによる閉鎖空間内に設置されている場合においても、駆体３の排気口７から下方に向けて排気された暖気が、斜め上方に案内されるので、コンクリートブロックＫによる閉鎖空間内に暖気が徐々に溜まってしまう事態を回避できる。
【００５６】
そして、パワーコンディショナーは、常に冷却状態にある外気を吸気口５から吸気することが可能となり、その冷却効率を向上させることができるのである。
【００５７】
＜第２の実施例＞
図６乃至図９は、本発明に係る排気口カバー１ｂの第２の実施例を示している。
【００５８】
この排気口カバー１ｂは、例えば、パワーコンディショナー等の駆体３に設けられている外気を吸気する吸気口５の上方に位置し、駆体３の内部を通過して温まった暖気を下方に排気する横長の排気口７の下部に取り付けられるものである。
【００５９】
排気口カバー１ｂは、駆体３の排気口７の下部において、排気口７に沿うように取り付けられる横長板状の取付部９ｂと、この取付部９ｂの上端に、駆体３から離れるように斜め上方に延出する横長板状の延出部１１ｂを備え、図９に示すように、この延出部１１ｂは、排気口７から排気された暖気を斜め上方に案内する。
【００６０】
延出部１１ｂは、図６（ｂ）・図７に示すように、横長の板片の先端部側が上方を向くように全体が湾曲しており、側面視で弧状に形成されている。また、取付部９ｂと駆体３の間に、雨水を通過させる隙間を形成するためのスペーサー１３を有している。更に、図６（ａ）に示すように、取付部９ｂの上下左右には、複数の孔１５を有している。
【００６１】
図８に示す例では、上部の排気口７の下に取り付けられている排気口カバー１ｂは、ボルト等の既存の留め具１７が取付部９ｂの上側にある孔１５を利用して駆体３に取り付けられている。また、下部の排気口７の下に取り付けられている排気口カバー１ｂは、既存の留め具１７が取付部９ｂの下側にある孔１５を利用して駆体３に取り付けられている。
【００６２】
取付部９ｂには、図８に示す例では、上下左右に複数の孔１５が設けられているが、これに限らず、左右にのみ孔１５を設けても良い。また、図６（ａ）（ｂ）に示すように、取付部９ｂの裏面には、複数のスペーサー１３が、横方向に離間して設けられ、排気口カバー１ｂを駆体３に取り付けた際にスペーサー１３間に雨水が流れるように構成されている。スペーサー１３は、取付部１３と駆体３との間に所定の隙間を設けるものであり、雨水を通すが、排気を通しにくい程度の隙間を作る厚みであることが好ましい。
【００６３】
延出部１１ｂは、図９に示すように、排気口７から下方に向けて排気された暖気を弧状の延出部１１ｂに沿って斜め上方に案内し、吸気口５側に駆体３内部で温まった暖気が流れるのを防止している。
【００６４】
そして、常に冷たい外気を吸気口５から吸気することにより、冷却効率を向上させることができる。また、延出部１１ｂを弧状にすることにより、ハンドル１９と延出部１１ｂとが離れるため、ハンドル１９の回転時にハンドル１９を持ち易いという利点がある。
【００６５】
＜第３の実施例＞
図１０乃至図１４は、本発明に係る排気口カバー１ｃの第３の実施例を示している。
【００６６】
この排気口カバー１ｃは、例えば、パワーコンディショナー等の駆体３に設けられている外気を吸気する吸気口５の上方に位置し、駆体３の内部を通過して温まった暖気を下方に排気する横長の排気口７の下部に取り付けられるものである。
【００６７】
排気口カバー１ｃは、駆体３の排気口７の下部において、排気口７に沿うように取り付けられる横長板状の取付部９ｃと、この取付部９ｃの上端に、駆体３から離れるように斜め上方に延出する横長板状の延出部１１ｃを備え、図１４に示すように、この延出部１１ｃは、排気口７から排気された暖気を斜め上方に案内する。
【００６８】
取付部９ｃは、取付部９ｃと駆体３の間を雨水を通過させるスペースを形成するためのスペーサー１３を有し、上下左右に設けられた複数の孔１５を有している。図１２乃至図１４に示す例では、上部の排気口７の下に取り付けられている排気口カバー１ｃは、例えば、ボルト等の既存の留め具１７が取付部９ｃの上側にある孔１５を利用して駆体３に取り付けられている。また、下部の排気口７の下に取り付けられている排気口カバー１ｃは、既存の留め具１７が取付部９ｃの下側にある孔１５を利用して駆体３に取り付けられている。
【００６９】
取付部９ｃには、図１０に示す例では、上下左右に複数の孔１５が設けられているが、これに限らず、左右にのみ孔１５を設けても良い。また、図１０（ａ）（ｂ）に示すように、取付部９ｃの裏面には、複数のスペーサー１３が、横方向に離間して設けられ、排気口カバー１ｃを駆体３に取り付けた際にスペーサー１３間に雨水が流れるように構成されている。スペーサー１３は、スペーサー１３は、取付部９ｃと駆体３との間に所定の隙間を設けるものであり、雨水を通すが、排気を通しにくい程度の隙間を作る厚みであることが好ましい。
【００７０】
延出部１１ｃは、図１０（ａ）・図１１に示すように、正面視において傾斜している。即ち、延出部１１ｃの右側または左側の一方が他方より低くなっており、雨水が右側または左側に流れるように構成されている。また、図１４に示すように、弧状の延出部１１ｃに沿って排気口７から下方に向けて排気された暖気を斜め上方に案内し、吸気口５側に駆体３内部で温まった暖気が流れるのを防止している。
【００７１】
そして。常に冷たい外気を吸気口５から吸気することにより、冷却効率を向上させることができる。
【００７２】
また、図１２乃至図１４に示すように、ハンドル１９の下の左右に取り付けられる排気口カバー１ｃの延出部１１ｃを弧状にしてハンドル１９側を低くし、且つ、延出部１１ｃの上端部をハンドル１９の下端部より低くすることにより、ハンドル１９と延出部１１ｂとが更に離れるため、排気口カバー１ｃを取り付けても、ハンドル１９を回転させ易いという利点がある。
【００７３】
更に、図１２では、駆体３の左右にそれぞれ取り付けた一対の排気口カバー１ｃの中央側に雨水が流れるように、左側に位置している延出部１１ｃの右側が低くされ、右側に位置している延出部１１ｃの左側が低くされている。このように左右に位置している延出部１１ｃを、所謂谷状に配置することにより、その中央側に雨水が流れるようにしているのである。
【００７４】
また、図１３では、駆体３の左右にそれぞれ取り付けた一対の排気口カバー１ｃの両端側に雨水が流れるように、左側に位置している延出部１１ｃの左側が低くされ、右側に位置している延出部１１ｃの右側が低くされている。このように左右に位置している延出部１１ｃを、所謂山状に配置することにより、その両側に雨水が流れるようにしているのである。
【００７５】
＜第４の実施例＞
図１５乃至図１７は、本発明に係る排気口カバー１の第４の実施例を示している。
【００７６】
本実施例においては、図１５及び図１６（ｂ）に示すように、取付部９の孔１５は、大径円形状の挿入孔部１５Ａと、挿入孔部１５Ａに連通するスライド固定用長孔部１５Ｂにより、略鍵穴状となって形成されており、取付部９の孔１５を駆体３の留め具１７に宛がい、スライドさせて留め具１７に係止する。
【００７７】
即ち、図１７に示すように、前記留め具１７の小径軸部１７Ａの先端に形成されている大径頭部１７Ｂが、孔１５の挿入孔部１５Ａに挿入されてから留め具１７の小径軸部１７Ａをスライド固定用長孔１５Ｂ側にスライドさせて係止することで、取付部９は駆体３に固定される。
【００７８】
また、図１５・図１６（ａ）に示すように、スペーサー１３は、取付部９の表面からの絞り加工により取付部９の裏面に突設された、縦長の凸部１３Ａによって形成される。
【００７９】
排気口カバー１の駆体３への取り付けに際し、取付部９の孔１５を介して駆体３の留め具１７に固定されたとき、凸部１３Ａは駆体３の表面に当接する。これにより、取付部９と駆体３の間に雨水を通過させるための隙間が形成される。
【００８０】
＜第５の実施例＞
図１８乃至図２１は、本発明に係る排気口カバー１の第５の実施例を示している。
【００８１】
本実施例においては、図１８及び図１９に示すように、排気口カバー１は、排気口７の下側の駆体３表面から延出部１１の先端部に向けて、横長板状で、延出部１１に沿うように側面視で弧状に湾曲している排気導出用板２０が配置されている。この排気導出用板２０は、例えば、弾性樹脂部材等によって形成されている。
【００８２】
そして、排気導出用板２０は、図１９に示すように、その基端側が駆体表面に沿うように当接し、先端側が延出部１１の上面にリベット２２を介して固定されている。
【００８３】
即ち、図２０及び図２１に示すように、延出部１１の上面と排気導出用板２０の先端側とが接合され、前後２列の複数のリベット２２で固定されているのである。
【００８４】
尚、駆体３から排気口カバー１が取り外されると、排気導出用板２０は、自身の弾性によって、図２１図（ａ）（ｂ）に示すように、平板状になる。
【００８５】
＜第６の実施例＞
図２２乃至図２４は、本発明に係る排気口カバー１の第６の実施例を示している。
【００８６】
本実施例では、図２２及び図２４（ｂ）に示すように、排気導出用板２０の先端側には、略ダルマ形状の係止孔２１が設けられており、延出部１１のリベット２２に係止孔２１を宛がい、スライドさせて係止する。
【００８７】
即ち、排気導出用板２０は、図２３（ａ）に示すように、その先端側に大径円形状の挿入孔部２１Ａと、挿入孔部２１Ａに連通する小径円形状のスライド固定用孔部２１Ｂと、による略ダルマ形状の係止孔２１が形成されている。この係止孔２１は、排気導出用板２０の先端側縁部に沿って前後２列になるように形成されている。
【００８８】
これに対応して、図２３（ｂ）に示すように、排気口カバー１の延出部１１の先端側には、前後２列になるようにリベット２２が取り付けられている。そして、図２４（ａ）に示すように、リベット２２の小径軸部２２Ａは、延出部１１を貫くように配置され、小径軸部２２Ａの下端側が延出部１１の裏面においてカシメ状に固定されており、小径軸部２２Ａと大径頭部２２Ｂが連設されている。
【００８９】
排気導出用板２０の先端側を延出部１１の上面に固定する際には、図２３（ａ）に示すように、リベット２２の小径軸部２２Ａを、排気導出用板２０の係止孔２１である挿入孔部２１Ａに挿入してから、図２３（ｂ）（ｃ）に示すように、リベット２２の小径軸部２２Ａを排気導出用板２０の係止孔２１であるスライド固定用孔２１Ｂ側にスライドさせることで、排気導出用板２０の先端側が延出部１１の上面に固定される。
【００９０】
尚、以上に説明した以外にも、上記した各実施例による手法を、適宜組み合わせて利用しても良い。
【００９１】
この他、一々例示はしないが、本発明は、その趣旨を逸脱しない範囲内において、種々の変更が加えられて実施されるものである。
【産業上の利用可能性】
【００９２】
本発明に係る排気口カバーでは、パワーコンディショナーの駆体が備えている横長の排気口の下部に取り付けることは勿論の事、様々な機器の駆体が備えている排気口にも、幅広く利用されるものである。
【００９３】
また、本発明に係る排気口カバーでは、コンクリートブロックによる閉鎖空間内に設置されているパワーコンディショナーに取り付けることは勿論の事、様々な閉鎖空間内に設置されている機器の駆体が備えている排気口にも、幅広く利用されるものである。
【符号の説明】
【００９４】
Ｋ…コンクリートブロック
１…排気口カバー
３…駆体
５…吸気口
７…排気口
９…取付部
１１…延出部
１３…スペーサー
１３Ａ…凸部
１５…孔
１５Ａ…挿入孔部
１５Ｂ…スライド固定用長孔部
１７…留め具
１７Ａ…小径軸部
１７Ｂ…大径頭部
１９…ハンドル
２０…排気導出用板
２１…係止孔
２１Ａ…挿入孔部
２１Ｂ…スライド固定用孔部
２２…リベット
２２Ａ…小径軸部
２２Ｂ…大径頭部
【図１】
2018064095.tif 000003
【図２】
2018064095.tif 000004
【図３】
2018064095.tif 000005
【図４】
2018064095.tif 000006
【図５】
2018064095.tif 000007
【図６】
2018064095.tif 000008
【図７】
2018064095.tif 000009
【図８】
2018064095.tif 000010
【図９】
2018064095.tif 000011
【図１０】
2018064095.tif 000012
【図１１】
2018064095.tif 000013
【図１２】
2018064095.tif 000014
【図１３】
2018064095.tif 000015
【図１４】
2018064095.tif 000016
【図１５】
2018064095.tif 000017
【図１６】
2018064095.tif 000018
【図１７】
2018064095.tif 000019
【図１８】
2018064095.tif 000020
【図１９】
2018064095.tif 000021
【図２０】
2018064095.tif 000022
【図２１】
2018064095.tif 000023
【図２２】
2018064095.tif 000024
【図２３】
2018064095.tif 000025
【図２４】
2018064095.tif 000026
【図２５】
2018064095.tif 000027
【図２６】
2018064095.tif 000028